(57)【要約】  システムは、空間的に分離した複数の色成分であって、複数の色成分のそれぞれが個別の波長の光を含む、複数の色成分を、受け取ることと、複数の空間的に分離した色成分を、第２の素子の第１の表面上に集束させることと、を行うように構成される、第１の素子を含む。また、本システムは、第１の表面及び第２の表面を有する第２の素子を含み、第２の素子は、第１の表面を介して複数の色成分を受け取ることと、第２の表面に、前記複数の色成分を混合状態で含む均一な光を伝達することと、第２の表面を介して、均一な光を射出することと、を行うように構成される。また、本システムは、均一な光を受け取るように構成されたスリットランプを含む。
2017503584.tif 000002
【特許請求の範囲】
【請求項１】
複数の空間的に分離した色成分であって、前記複数の色成分のそれぞれが個別の波長の光を含む、複数の空間的に分離した色成分を、受け取ることと、
前記複数の空間的に分離した色成分を、第２の素子の第１の表面上に集束させることと、
を行うように構成される、第１の素子と、
第１の表面及び第２の表面を含む第２の素子であって、前記第２の素子は、
前記第１の表面を介して前記複数の色成分を受け取ることと、
前記第２の表面に、前記複数の色成分を混合状態で含む均一な光を伝達することと、
前記第２の表面を介して、前記均一な光を射出することと、
を行うように構成される、第２の素子と、を含む、システム。
【請求項２】
複数の空間的に分離した色成分を生成するように構成された多色光源を更に含む、請求項１に記載のシステム。
【請求項３】
前記多色光源は、
複数の光源であって、それぞれの光源は、個別の波長に関連する色成分を生成するように構成される、複数の光源と、
少なくとも１つの光源によって生成される前記色成分の強度を制御するように構成される制御部と、を更に含む、請求項２に記載のシステム。
【請求項４】
前記複数の光源は、複数のＬＥＤ光源を含む、請求項３に記載のシステム。
【請求項５】
前記複数の光源は、
赤色波長に関連する第１の色成分を生成するように構成された第１の光源と、
緑色波長に関連する第２の色成分を生成するように構成された第２の光源と、
青色波長に関連する第３の色成分を生成するように構成された第３の光源と、
琥珀色波長に関連する第４の色成分を生成するように構成された第４の光源と、を含む、請求項３に記載のシステム。
【請求項６】
前記第２の表面は、イメージングシステムの光学素子に対して、基準面を提供する、請求項１に記載のシステム。
【請求項７】
前記光学素子は、レンズ及びミラーのうちの一方を含む、請求項６に記載のシステム。
【請求項８】
前記イメージングシステムは、スリットランプを含む、請求項６に記載のシステム。
【請求項９】
前記第２の素子は、前記スリットランプの集束アスペクトを維持するように更に構成される、請求項８に記載のシステム。
【請求項１０】
前記第１の素子は、中心点と、前記中心点の周りに同心円状に配置された複数のファセットと、を含む、請求項１に記載のシステム。
【請求項１１】
それぞれのファセットは、個別の高さを有し、
前記ファセットの前記高さは、前記中心点からの距離に基づいて変化する、請求項１０に記載のシステム。
【請求項１２】
少なくとも１つのファセットは、垂直な内側面と、傾斜した構成を有する第２の面とを有する、請求項１０に記載のシステム。
【請求項１３】
第１の素子によって、複数の空間的に分離した色成分を受け取る工程と、
前記第１の素子によって、前記複数の空間的に分離した色成分を、第２の素子の第１の表面上に集束させる工程と、
前記第２の素子によって、前記複数の空間的に分離した色成分を混合して、前記複数の色成分を混合状態で含む均一な光を生成する工程と、
前記第２の素子によって、前記第２の素子の第２の表面を介して、前記均一な光を射出する工程と、を含む方法であって、
前記第２の表面は、イメージングシステムの光学素子に対して、基準面を提供する、方法。
【請求項１４】
多色光源によって、複数の空間的に分離した色成分を生成する工程を更に含む、請求項１３に記載の方法。
【請求項１５】
赤色に関連する波長を有する、第１の色成分を生成する工程と、
緑色に関連する波長を有する、第２の色成分を生成する工程と、
青色に関連する波長を有する、第３の色成分を生成する工程と、を更に含む、請求項１４に記載の方法。
【請求項１６】
入力を受け取る工程と、
前記入力に基づいて、前記第１、第２、及び第３の色成分のうちの１つの強度を変化させる工程と、を更に含む、請求項１５に記載の方法。
【請求項１７】
前記イメージングシステムは、スリットランプを含む、請求項１３に記載の方法。
【請求項１８】
複数の空間的に分離した色成分を生成するように構成された光源と、
透過性材料及び複数のファセットを含む第１の素子であって、前記第１の素子は、前記複数の空間的に分離した色成分を、第２の要素の表面上に屈折させるように構成される、第１の素子と、
透過性材料を含む第２の素子であって、前記第２の素子は、前記複数の色成分を混合して、均一な光を作り出し、前記均一な光をスリットランプに提供するように構成される、第２の素子と、
スリットランプと、を含む、システムであって、
前記光源は、
前記複数の空間的に分離した色成分のうちの選択された１つの強度の変更を指示する入力を受け取ることと、
前記入力に基づいて、前記複数の空間的に分離した色成分のうちの前記選択された１つの強度を変更することと、を行うように更に構成される、システム。
【請求項１９】
前記光源は、複数のＬＥＤ光源を含む多色光源である、請求項１８に記載のシステム。
【請求項２０】
前記光源は、赤色ＬＥＤ光源と、緑色ＬＥＤ光源と、青色ＬＥＤ光源と、を含む多色光源である、請求項１９に記載のシステム。
【請求項２１】
前記第１の素子は、集束ホモジナイザーを含み、前記第２の素子は、集束フィラメントを含む、請求項１８に記載のシステム。
【発明の詳細な説明】
【技術分野】
【０００１】
本明細書は、概して、眼の状態を診断及び治療する際に使用する眼科用イメージングシステム及び方法に関し、より具体的には、スリットランプ、手術用顕微鏡、直像検眼鏡、又は倒像検眼鏡用のイメージングシステム及び方法に関する。
【背景技術】
【０００２】
スリットランプは、高輝度の光源からなる器具であり、この高輝度の光源を集束させて、光線で患者の眼を照らすことができる。スリットランプにより、施術者は、患者の眼において選択した構造の画像を得ることができるため、病状の検査及び診断が行いやすくなる。また、スリットランプを装着したレーザ供給装置は、例えば、加齢黄斑変性などの状態に対する光凝固術などの、レーザ光治療のために一般的に使用されている。
【発明の概要】
【０００３】
一実施形態によると、システムは、複数の空間的に分離した色成分であって、複数の色成分のそれぞれが個別の波長の光を含む、複数の空間的に分離した色成分を、受け取ることと、複数の空間的に分離した色成分を、第２の素子の第１の表面上に集束させることと、を行う、第１の素子を含む。また、本システムは、第１の表面及び第２の表面を有する第２の素子を含み、第２の素子は、第１の表面を介して複数の色成分を受け取ることと、第２の表面に、前記複数の色成分を混合状態で含む均一な光を伝達することと、第２の表面を介して、均一な光を射出することと、を行う。
【０００４】
また、一実施形態では、本システムは、複数の空間的に分離した色成分を生成する多色光源を含む。多色光源は、複数の光源を更に含んでいてもよく、これら複数の光源のそれぞれは、個別の波長に関連する色成分を生成する。また、多色光源は、これらの光源のうちの１つ又は２つ以上によって生成される、色成分の強度を制御する制御部をも更に含んでいてもよい。複数の光源は、複数のＬＥＤ光源を含んでいてもよい。
【０００５】
他の実施形態では、複数の光源は、赤色波長に関連する第１の色成分を生成する第１の光源と、緑色波長に関連する第２の色成分を生成する第２の光源と、青色波長に関連する第３の色成分を生成する第３の光源と、琥珀色波長に関連する第４の色成分を生成する第４の光源と、を含む。
【０００６】
一実施形態では、本イメージングシステムは、スリットランプである。第２の素子の第２の表面は、イメージングシステムの光学素子に対して、基準面を提供し得る。この光学素子は、例えば、レンズ又はミラーであってよい。
【０００７】
他の実施形態では、第１の素子は、中心点と、この中心点の周りに同心円状に配置された複数のファセットと、を有する。それぞれのファセットは、個別の高さを有し、ファセットの高さは、中心点からの距離に基づいて変化する。一実施形態では、少なくとも１つのファセットは、垂直な内側面と、傾斜した構成を有する第２の面とを有する。
【０００８】
他の実施形態によると、方法が提供される。複数の空間的に分離した色成分が、第１の素子によって受け取られる。第１の素子によって、複数の空間的に分離した色成分を、第２の素子の第１の表面上に集束させる。第２の素子によって、複数の色成分を混合して、複数の空間的に分離した色成分を混合状態で含む均一な光を生成する。第２の素子によって、第２の素子の第２の表面を介して、均一な光を射出させ、ここで、第２の表面は、イメージングシステムの光学素子に対して、基準面を提供する。
【０００９】
一実施形態では、多色光源によって、複数の空間的に分離した色成分を生成する。入力を受け取り、この入力に基づいて、第１、第２、及び第３の色成分のうちの１つの強度を変化させる。本イメージングシステムは、例えば、スリットランプであってよい。
【００１０】
他の実施形態によると、システムは、複数の空間的に分離した色成分を生成するように構成された光源と、透過性材料及び複数のファセットを含む第１の素子であって、複数の空間的に分離した色成分を、第２の素子の表面上に屈折させるように構成される、第１の素子と、を含む。また、本システムは、透過性材料を含む第２の素子であって、複数の色成分を混合して、均一な光を作り出し、この均一な光をスリットランプに提供するように構成される、第２の素子を含む。また、本システムは、スリットランプを含む。前記光源は、複数の空間的に分離した色成分のうちの選択された１つの強度の変更を指示する入力を受け取ることと、この入力に基づいて、複数の空間的に分離した色成分のうちの選択された１つの強度を変更することと、を行うように更に構成される。一実施形態では、光源は、複数のＬＥＤ光源を含む多色光源である。
【００１１】
一実施形態では、第１の素子は、集束ホモジナイザー（ｆｏｃｕｓｉｎｇ  ｈｏｍｏｇｅｎｉｚｅｒ）を含み、第２の素子は、集束フィラメント（ｆｏｃｕｓｉｎｇ  ｆｉｌａｍｅｎｔ）を含む。
【００１２】
以下の「発明を実施するための形態」及び添付図面を参照することにより、当業者には、本開示のこれらの利点及び他の利点が明らかとなるであろう。
【図面の簡単な説明】
【００１３】
【図１】例示的なイメージングシステムを示す。
【００１４】
【図２】一実施形態に係る、スリットランプ系イメージングシステムを示す。
【００１５】
【図３Ａ】一実施形態に係る、三色光源を示す。
【００１６】
【図３Ｂ】一実施形態に係る、四色光源を示す。
【００１７】
【図４】一実施形態に係る、集束素子の構成要素を示す。
【００１８】
【図５】一実施形態に係る、多色光源、集束ホモジナイザー、及び集束フィラメントによって行われる各機能の略図である。
【００１９】
【図６Ａ】一実施形態に係る集束ホモジナイザーを示す。
【００２０】
【図６Ｂ】図６Ａの集束ホモジナイザーの断面図を示す。
【００２１】
【図６Ｃ】図６Ａ〜６Ｂの集束ホモジナイザーのいくつかのファセットを示す。
【００２２】
【図６Ｄ】図６Ａ〜６Ｂの集束ホモジナイザーによって、焦点面上に屈折させられた光を示す。
【００２３】
【図７Ａ】一実施形態に係る集束フィラメントを示す。
【００２４】
【図７Ｂ】図７Ａの集束フィラメントの断面図を示す。
【００２５】
【図７Ｃ】一実施形態に係る、集束フィラメント及びスリットランプの光学素子を示す。
【００２６】
【図８】一実施形態に係る方法のフローチャートである。
【００２７】
【図９】本発明の特定の実施形態を実施するために使用され得る、例示的なコンピュータの構成要素を示す。
【発明を実施するための形態】
【００２８】
図１は、例示的なイメージングシステム１００を示す。イメージングシステム１００は、光源１１５と、スリットランプ１０５と、を含む。光源１１５は、スリットランプ１０５において使用される光を生成する。また、光源１１５は、スリットランプ１０５内の光学系の１つ又は２つ以上の光学素子に対して、基準面を提供し得る。例えば、光源１１５は、スリットランプ１０５内のレンズ又はミラーに対して、基準面を提供し得る。
【００２９】
スリットランプ１０５は、任意の種類の一般的に使用されるスリットランプであってよい。例えば、スリットランプ１０５は、トプコン社（所在地、日本、東京）製のスリットランプであるＳＬ−Ｄ７であってよい。あるいは、トプコン社のスリットランプであるＳＬ−Ｄ３、トプコン社のスリットランプであるＳＬ−Ｄ４、トプコン社の手術用顕微鏡であるＯＭＳ−７１０、トプコン社のレーザ倒像検眼鏡など、他のスリットランプを使用してもよい。スリットランプの使用は、既知である。
【００３０】
多くの現行のスリットランプ系供給システムでは、ハロゲン光源などの光源を使用して、白色光を生成し、１本又は２本以上の光ファイバを介して、スリットランプに流し込んでいる。
【００３１】
白色光を使用しているため、施術者は、スリットランプに入る光の色を精密に調節することができず、施術者が行い得る観察の範囲が制限されてしまう。例えば、眼の特定の構造、及び／又は特定の病状の観察において、光の色を選択して使用することが有利な場合がある。既存の供給システムでは、１つ又は２つ以上の色フィルタを使用して、眼に供給される光の色を調節し、白色光の下では可視化され難いことがある、眼の特定の外観を観察しやすくしている。例えば、フィルタは、例えば、赤色、青色、又は緑色の光を生成するために、赤外光を除去するために、使用される場合がある。フィルタを使用したとしても、施術者は、現在利用可能なフィルタに制限されるため、使用される光の色の選択について、所望する水準の精密さを得ることができない場合がある。
【００３２】
施術者が、スリットランプ、及び患者の眼に入る、１種類又は複数種類の色を、はるかに簡単にかつ精密に調節できるイメージングシステムを使用することにより、観察及び診断の向上が促進され、有益となるであろう。
【００３３】
一実施形態に係る、改良されたスリットランプ系イメージングシステムは、スリットランプと、複数の光成分を生成する多色光源と、を含む。多色光源は、スリットランプ及び患者の眼に入る光の色を決定するために制御され得る。加えて、本イメージングシステムは、異なる光の成分を集束させて、混合し、スリットランプで使用するための均一な光を射出する、集束素子を含む。
【００３４】
図２は、一実施形態に係る、スリットランプ系イメージングシステム２００を示す。イメージングシステム２００は、スリットランプ２０５と、多色光源２３０と、集束素子２４０と、を含む。
【００３５】
スリットランプ２０５は、任意の種類のスリットランプであってよい。例えば、スリットランプ２０５は、トプコン社（所在地、日本、東京）製のスリットランプであるＳＬ−Ｄ７であってよい。あるいは、トプコン社のスリットランプであるＳＬ−Ｄ３、トプコン社のスリットランプであるＳＬ−Ｄ４、トプコン社の手術用顕微鏡であるＯＭＳ−７１０、トプコン社のレーザ倒像検眼鏡など、他のスリットランプを使用してもよい。他の種類のスリットランプ、又は他の供給装置、若しくはシステムを使用してもよい。
【００３６】
多色光源２３０は、複数の光源を含み、それぞれの光源は、個別の色又は波長（例えば、赤色、緑色、青色、琥珀色など）の範囲に関連する色成分を生成する。多色光源２３０が生成するこれらの色成分は、空間的に分離している。例えば、一実施形態では、多色光源２３０は、赤色光源と、緑色光源と、青色光源と、を含み、これらの光源は、互いに０．１ミリメートル離されている。したがって、多色光源２３０は、射出時に互いに０．１ミリメートル離される、赤色、緑色、及び青色の３つの光線を生成する。また、他の実施形態では、多色光源２３０は、赤外線又は紫外線などの非可視光線成分を生成する光源を含んでいてもよい。
【００３７】
集束素子２４０は、多色光源２３０によって生成された様々な光の成分を受け取って、集束させ、それらの色成分を混合して、様々な色成分が混合状態となった（空間的に分離していない）光を生成する。集束素子２４０は、混合された色成分を含む均一な光を射出する。また、集束素子２４０は、レンズ又はミラーなどの、スリットランプ２２０の１つ又は２つ以上の光学素子に対して、基準面を提供する。それ故、スリットランプ２２０の１つ又は複数の光学素子は、この基準面を点光源として利用し得る。
多色光源
【００３８】
多色光源２３０は、空間的に分離した個別の色成分を生成する任意の数の光源を有していてよい。図３Ａに示した実施形態では、多色光源２３０−Ａは、ＲＧＢ発光ダイオード（ＬＥＤ）光源である。したがって、多色光源２３０−Ａは、赤色に関連する波長範囲の光を生成する、赤色ＬＥＤ光源３２２と、緑色に関連する波長範囲の光を生成する、緑色ＬＥＤ光源３２４と、青色に関連する波長範囲の光を生成する、青色ＬＥＤ光源３２６と、を含む。それぞれの光源によって生成される波長範囲は、様々であってよい。
【００３９】
また、多色光源２３０−Ａは、制御部３８０−Ａと、インタフェース３８１−Ａを含む。制御部３８０−Ａは、赤色ＬＥＤ光源３２２、緑色ＬＥＤ光源３２４、及び青色ＬＥＤ光源３２６を制御する。インタフェース３８１−Ａは、施術者からの入力を受け取る。例えば、インタフェース３８１−Ａは、施術者が各光源３２２、３２４、３２６の強度を調節できる、１つ又は２つ以上のボタン、ダイヤル、スイッチ、又はデジタル式の調節部（例えば、タッチスクリーン上の指示部）を含んでいてもよい。例えば、制御部３８０−Ａは、施術者からの入力に応答して光源３２２、３２４、３２６を点灯させたり、消灯させたり、又は強度を変化させたりしてよい。したがって、施術者は、光源３２２、３２４、３２６の強度を調節することによって、赤色、緑色、及び青色の波長の所望の組み合わせを選択し得る。
【００４０】
図３Ｂに示した他の実施形態では、多色光源２３０−Ｂは、ＲＧＢＡ発光ダイオード（ＬＥＤ）光源である。したがって、多色光源２３０−Ｂは、赤色ＬＥＤ光源３３２と、緑色ＬＥＤ光源３３４と、青色ＬＥＤ光源３３６と、琥珀色ＬＥＤ光源３３８と、を含む。
【００４１】
一実施形態では、赤色ＬＥＤ光源３３２は、赤色に関連する波長範囲の光を生成し、緑色ＬＥＤ光源３３４は、緑色に関連する波長範囲の光を生成し、青色ＬＥＤ光源３３６は、青色に関連する波長範囲の光を生成し、琥珀色ＬＥＤ光源３３８は、琥珀色に関連する波長範囲の光を生成する。
【００４２】
また、多色光源２３０−Ｂは、制御部３８０−Ｂと、インタフェース３８１−Ｂを含む。制御部３８０−Ｂは、赤色ＬＥＤ光源３３２、緑色ＬＥＤ光源３３４、青色ＬＥＤ光源３３６、及び琥珀色ＬＥＤ光源３３８を制御する。インタフェース３８１−Ｂは、施術者からの入力を受け取る。例えば、インタフェース３８１−Ｂは、施術者が各光源３３２、３３４、３３６、３３８の強度を調節できる、１つ又は２つ以上のボタン、ダイヤル、スイッチ、又はデジタル式の調節部（例えば、タッチスクリーン上の指示部）を含んでいてもよい。例えば、制御部３８０−Ｂは、施術者からの入力に応答して光源３３２、３３４、３３６、３３８を点灯させたり、消灯させたり、又は強度を変化させたりしてよい。したがって、施術者は、光源３３２、３３４、３３６、３３８の強度を調節することによって、赤色、緑色、青色、及び琥珀色の波長の所望の組み合わせを選択し得る。
【００４３】
図３Ａ及び３Ｂの実施形態においては、多色光源２３０−Ａ及び２３０−Ｂは、それぞれ、３つ又は４つのＬＥＤ光源を含んでいるが、他の実施形態では、多色光源２３０は、ＬＥＤ光源を、任意の色の組み合わせで３つ未満、又は４つより多く含んでいてもよい。
【００４４】
便宜的に、多色光源２３０の特定の機能、特徴、及び利点については、図３Ｂの多色光源２３０−Ｂを参照しながら、以下に記載するが、以下の記載は、多色光源２３０−Ａ及び他の実施形態に対しても、等しく適用可能である。
【００４５】
図３Ｂを参照すると、患者の眼に入る光について所望の色を選択するために、多色光源２３０−Ｂのそれぞれの色の光源は、独立して制御し得る。例えば、施術者は、赤色ＬＥＤ光源３３２を調整して、患者の眼に入る光の赤色成分を増減させることができる。
【００４６】
有利なことに、図３Ｂに示すもののような多色光源では、患者の眼に入る波長域に渡って、既存のシステムよりもより細かな調節が可能である。例えば、スリットランプシステムで使用する光の色／波長を調節することにより、有利なことに、網膜を高コントラストで可視化することが容易になり得る。また、スリットランプシステムで使用する光の色／波長を調節することにより、有利なことに、（薬剤を網膜に投入する場合に、）薬剤相互作用の可視化が容易になり得る。また、このような多色光源では、フィルタ及び調節機構を利用する必要がなくなるため、既存のシステムよりもより安価で、使い勝手がよい場合がある。
【００４７】
多色光源２３０−Ｂによって射出される各色成分は、空間的に分離した状態にあるため、異なる光源によって生成された異なる色成分を混合して、スリットランプ２２０で使用可能な均一な光を生成することが望ましい。図２の実施形態を再度参照すると、多色光源２３０によって生成された複数の空間的に分離した色成分は、集束素子２４０によって受け取られている。集束素子２４０は、空間的に分離した色成分を混合して、均一な光を生成する。また、集束素子２４０は、スリットランプ２０５に向けて均一な光を方向付け、スリットランプ２０５の光学系に対して、基準面を提供する。本明細書で使用されるとき、基準面とは、空間内のある平面と定義され、基準面からの光が焦点面において焦点を結ぶように、レンズ又はミラーなどの光学要素が構成される。基準面は、場合によっては、対象面（ｏｂｊｅｃｔ  ｐｌａｎｅ）と呼ばれる。
【００４８】
例えば、図３Ｂを参照すると、赤色ＬＥＤ光源３３２によって生成された赤色光、緑色ＬＥＤ光源３３４によって生成された緑色光、青色ＬＥＤ光源３３６によって生成された青色光、及び琥珀色ＬＥＤ光源３３８によって生成された琥珀色光は、集束素子２４０によって受け取られ、集束素子２４０によって混合されて、均一な光を生成し得る。集束素子２４０は、スリットランプ２０５に向けて均一な光を射出する。
集束素子
【００４９】
図４は、一実施形態に係る、集束素子２４０の構成要素を示す。集束素子２４０は、集束ホモジナイザー４１５と、集束フィラメント４２５を含む。
【００５０】
図５は、一実施形態に係る、多色光源２３０−Ｂ、集束ホモジナイザー４１５、及び集束フィラメント４２５によって行われる各機能の略図である。図５は単に例示的なものであり、図示されている構成要素の構成又は機能に制限されるものと解釈されるべきではない。
【００５１】
多色光源２３０−Ｂは、赤色成分５１０−Ｒ、緑色成分５１０−Ｇ、青色成分５１０−Ｂ、及び琥珀色成分５１０−Ａを生成する。これらの色成分は、例えば、別々の光線として射出されてもよい。これらの色成分は、例えば、空気を通って伝達され、集束ホモジナイザー４１５によって受け取られる。集束ホモジナイザー４１５は、各色成分５１０を、第１の空間的に分離した状態で受け取る。集束ホモジナイザー４１５は、これらの色成分を、集束フィラメント４２５の第１の表面上に集束させる。一実施形態では、集束ホモジナイザー４１５は、これらの色成分を、各色成分が、集束フィラメント４２５の第１の表面の選択した領域内で重なるような様式で、集束させる。集束フィラメント４２５は、色成分５１０−Ｒ、５１０−Ｇ、５１０−Ｂ、及び５１０−Ａを混合して、均一な光を生成する（ここで、これらの色成分は、第２の混合状態である）。集束フィラメント４２５は、均一な光を、第２の表面を介して、スリットランプ２０５に向けて、均一な光５２０として射出する。結果として、集束フィラメント４２５の第２の表面は、スリットランプ２０５の光学系の１つ又は２つ以上の要素に対する、基準面として機能し得る。例えば、スリットランプ２０５は、１つ又は２つ以上のレンズを含んでいてもよく、集束フィラメント４２５の表面は、スリットランプ２０５内に配置されるレンズに対して、基準面を提供し得る。
【００５２】
集束ホモジナイザー４１５及び集束フィラメント４２５の構造については、以下に、より詳細に記載される。
集束ホモジナイザー
【００５３】
図６Ａは、一実施形態に係る集束ホモジナイザー４１５を示す。集束ホモジナイザー４１５は、透明材料を含む円形レンズを含む。例えば、集束ホモジナイザー４１５は、ガラス、プラスチックなどを含んでいてよい。一実施形態では、集束ホモジナイザー４１５は、ポリ（メタクリル酸メチル）（ＰＭＭＡ）などの透明な熱可塑性プラスチックを含む。他の実施形態では、集束ホモジナイザー４１５は、他の種類の材料を含んでいてもよい。他の実施形態では、集束ホモジナイザー４１５は、異なる形状を有していてもよい。
【００５４】
集束ホモジナイザー４１５は、フレネルレンズにあるものと同様の連続したファセット６３２を含む。フレネルレンズは既知である。図６Ａの実施形態では、ファセット６３２は、集束ホモジナイザー４１５の中心軸に関連する中心点６２９−Ｐの周りに同心円状に配置されている。他の実施形態では、ファセット６３２は、異なった配置となっていてもよい。フレネルレンズの作用と同様に、ファセット６３２は、入射した光を屈折させて、その光を定義された焦点又は焦点面に集束させる。具体的には、ファセット６３２は、多色光源２３０によって生成された各色成分間の空間的分離を矯正し、これら異なる色成分が、定義された焦点又は焦点面にて重なるようにする。
【００５５】
集束ホモジナイザー４１５は、フレネルレンズとは異なる。フレネルレンズは、一般的に、入射した光のほとんど又は全てを中心点に集束させる。フレネルレンズのそれぞれのファセットの表面では、対応する球面レンズ又は曲面レンズに関連する湾曲が保持されている。対照的に、集束ホモジナイザー４１５のそれぞれのファセット６３２の表面は、対応する曲面レンズに関連する湾曲を保持しておらず、プリズム効果を用いて光を屈折させる。それ故、集束ホモジナイザー４１５のファセット６３２の表面は、例えば、平らであるか、又はほぼ平らであってよい。
【００５６】
図６Ｂは、図６Ａの集束ホモジナイザー４１５の断面図を示す。集束ホモジナイザー４１５は、第１の表面６１０とファセット６３２を含む第２の表面６２０を含み、ファセット６３２は、内側ファセット６３２−Ｉと外側ファセット６３２−Ｏを含む。ファセット６３２は、中心軸６２９−Ａの周りに同心円状に配置される。集束ホモジナイザー４１５は、直径Ｄと厚さＴを有する。集束ホモジナイザー４１５の厚さＴは様々であってよい。例えば、一部の実施形態では、集束ホモジナイザー４１５の直径Ｄは、６インチ以下であってよい。一実施形態では、集束ホモジナイザー４１５の直径Ｄは、およそ２５ミリメートルである。集束ホモジナイザー４１５は、使用される装置の光学視覚系による要件に応じ、他の直径を有していてもよい。
【００５７】
図６Ｃは、図６Ａ〜６Ｂの実施形態に係る、ファセット６３２−Ｉを含むいくつかのファセットを示す。それぞれのファセット６３２は、高さ、幅、ファセット角度などの様々な特徴によって定義される。例えば、ファセット６３２−Ｉは、ファセット高さｈ、ファセット幅Ｗ、及びファセット角度αを有する。ファセットは、半径、平滑度、反射率などの図６Ｃに示されていない他の特徴を有していてもよい。
【００５８】
それぞれのファセットは、中心軸６２９−Ａからの距離によって更に定義される。図６Ｃを参照すると、ファセット６３２−Ｉは、中心線Ｃ（６２９）から、距離ｄｆの位置にある。より具体的には、距離ｄｆは、中心軸６２９−Ａとファセット６３２−Ｉの最も内側の箇所との間の距離を表している。
【００５９】
図６Ｃを参照すると、ファセット６３２−Ｉは、第１の内側面Ｓ−１と、第２の外側面Ｓ−２を有する。この記載においては、ファセットの内側面とは、中心軸６２９−Ａに最も近い面であり、外側面とは、中心軸６２９−Ａから最も遠いファセットの面である。例示的な実施形態では、ファセット６３２−Ｉの内側面Ｓ−１は垂直であり、外側面Ｓ−２は、傾斜した構成を有する。
【００６０】
図６Ｃでは、ファセット６３２−Ｉの内側面Ｓ−１は垂直であり、ファセット６３２−Ｉの外側面Ｓ−２は、傾斜しているが、他のファセットを異なる様式で構成してもよい。傾斜した内側面を有するファセットが傾斜した外側面を有するファセットに隣接している一部の例では、これらのファセットは、つながっており、垂直な面を有していない場合もある。他の実施形態では、ファセットは、２つの傾斜面を有し、垂直な面を有していない場合もある。
【００６１】
例示的な実施形態では、面Ｓ−１の表面、及び面Ｓ−２の表面は、平らであるか、又はほぼ平らである。また、他のファセットの表面も、平らであるか、又はほぼ平らである。
【００６２】
この議論においては、ある特定のファセットのファセット角度αとは、そのファセットの面Ｓ−１と、そのファセットの面Ｓ−２との間の角度である。ある特定のファセットについて、内側面Ｓ−１がファセットの傾斜面である場合は、ファセット角度αの値は負であり、外側面Ｓ−２がファセットの傾斜面である場合は、ファセット角度αの値は正である。
【００６３】
図６Ａ〜６Ｃの実施形態では、ファセット６３２の高さは変化している。例えば、中心軸６２９−Ａからのファセットの距離に基づいて、ファセット６３２の高さを変化させてもよい。一実施形態では、内側ファセット６３２−Ｉの高さは、外側ファセット６３２−Ｏの高さよりも低い。ファセット６３２の高さが、内側ファセット６３２−Ｉから外側ファセット６３２−Ｏへと一様に高くなっていってもよい。他の実施形態では、ファセット６３２の高さは、例えば、選択した線形関数若しくは非線形関数に従って、又は他の因子に基づいて、一様ではない様式で変化してもよい。
【００６４】
ファセット６３２の幅は、様々であってよい。一実施形態では、それぞれのファセット６３２の幅は、オーバーラップ径（各色成分が重なる集束フィラメント４２５上の領域の直径として定義される）未満である。
【００６５】
同様に、ファセット６３２の数も、様々であってよい。図６Ａ〜６Ｃには、ある特定の数のファセットを有する実施形態が示されているが、他の実施形態では、集束ホモジナイザー４１５は、図示されているのとは異なる数のファセットを有していてもよい。
【００６６】
ファセット高さ、ファセット幅、ファセット角度、厚さＴ、直径Ｄ、ファセットの数、ファセットの配置及び形状など、集束ホモジナイザー４１５の特定の寸法及び特性は、使用するスリットランプシステムの特性、使用する多色光源、集光領域のサイズ、及び他の因子に基づいて、実験的に決定されてよい。例えば、集束ホモジナイザー４１５は、所与の多色光源及びスリットランプシステムで機能するように設計され、製造されてもよい。したがって、ファセット６３２の数、サイズ、間隔は、生成される色／波長の数、波長間の空間的分離などの多色光源２３０の特性、並びに、スリットランプ内の１つ又は２つ以上のレンズのサイズ及び位置などのスリットランプ２０５の特性に基づいて選択してもよい。他の例では、ファセット角度などのファセット６３２の特性は、作動距離、所望のスポット又はリングのサイズ、可能な製作公差、集束ホモジナイザー４１５上の溝の数及び間隔などに基づいて選択してもよい。
【００６７】
図６Ｄは、光線６０４、６０５を屈折させて、焦点面６６３上に集束させる、一実施形態に係る集束ホモジナイザー４１５を示す。この例では、光線６０４及び６０５は、焦点Ｐ（６６５）に集束させられている。
【００６８】
表１は、一実施形態に係る集束ホモジナイザー４１５を規定するデータを含む。表１の各行は、集束ホモジナイザー４１５の１つのファセットを規定するデータを含んでいる。具体的には、表１は、（１）ファセット角度α（単位は度）、（２）集束ホモジナイザー４１５の中心軸６２９−Ａとファセットの最も内側の箇所との間の距離を規定するファセット距離ｄｆ、（３）ファセット幅Ｗ、及び（４）ファセット角度α（単位は秒）を特定する４つの列を含んでいる。
【００６９】
表１に定義される実施形態では、全てのファセットが正のファセット角度を有していることから、傾斜した外側面を有している。他の実施形態では、ファセット角度は、任意の組み合わせで選択され、配列されてよい。例えば、一部の実施形態では、全てのファセットが、負のファセット角度を有していてもよい。他の実施形態では、集束ホモジナイザーのファセットは、正と負のファセット角度の任意の組み合わせを有していてもよい。
【表１】
2017503584.tif 000003
集束フィラメント
【００７０】
図７Ａは、一実施形態に係る集束フィラメント４２５を示す。集束フィラメント４２５は、ガラス、プラスチックなどの透過性材料を含む。他の材料を使用してもよい。
【００７１】
図７Ｂは、図７Ａの集束フィラメント４２５の断面図を示す。集束フィラメント４２５は、第１の表面７３６と第２の表面７３８を含む。
【００７２】
集束フィラメント４２５は、集束ホモジナイザー４１５によって生成された光を集めて、混合し、その光をスリットランプ２０５へと射出するように選択されたサイズ及び形状を有するレンズであってよい。集束フィラメント４２５のサイズ及び形状は、例えば、スリットランプ２０５の種類及び構成に基づいて、実験的に決定されてよい。
【００７３】
一実施形態では、集束フィラメント４２５は、ゼロパワーレンズ（ｚｅｒｏ−ｐｏｗｅｒ  ｌｅｎｓ）である。例えば、一実施形態では、集束フィラメント４２５は、透明なガラス製の円筒状の部品である。他の実施形態では、集束フィラメント４２５は、他の種類のレンズであってよい。
【００７４】
図７Ｃは、一実施形態に係る、集束フィラメント及びスリットランプの光学素子を示す。図７Ｃを参照すると、集束フィラメント４２５は、第２の表面７３８を介して、スリットランプ２０５の光学素子７７１へと均一な光７８５を射出することなどによって、スリットランプ２０５の集束アスペクト（ｆｏｃｕｓｉｎｇ  ａｓｐｅｃｔ）を維持するように構成されている。
【００７５】
他の実施形態では、集束ホモジナイザー４１５及び集束フィラメント４２５を使用して、他の種類のイメージングシステムに均一な光を提供してもよい。例えば、本明細書に記載するシステム、装置、及び方法を使用して、集束させた光を用いる任意のイメージングシステムに均一な光を提供してもよい。
【００７６】
図８は、一実施形態に係る方法のフローチャートである。図８にまとめた方法について、図３Ｂの実施形態及び図５を参照しながら、以下に述べる。
【００７７】
工程８１０においては、多色光源によって、複数の空間的に分離した色成分を生成する。図３Ｂを参照すると、また図５に示されているように、（多色光源２３０−Ｂの）光源３３２は、赤色に関連する波長を有する第１の色成分５１０−Ｒを生成し、光源３３４は、緑色に関連する波長を有する第２の色成分５１０−Ｇを生成し、光源３３６は、青色に関連する波長を有する第３の色成分５１０−Ｂを生成し、光源３３８は、琥珀色に関連する波長を有する第４の色成分５１０−Ａを生成する。図５に示すように、各色成分５１０−Ｒ、５１０−Ｇ、５１０−Ｂ、及び５１０−Ａは、光源３３２、３３４、３３６、３３８によって生成されたとき、空間的に分離した状態にある。
【００７８】
工程８２０においては、入力を受け取る。例えば、患者の網膜を照らすために赤色光を使うことを望む施術者は、ダイヤルを回して、光源３３２によって生成される赤色光の強度を増加させ得る。この施術者の入力は、コマンド、選択肢の選択、指示部又はアイコンの選択、信号などの形態であってよい。また、施術者は、他の波長の強度を弱めてもよい。インタフェース３８１−Ｂは、この施術者の入力を受け取り、そのような入力に対応する制御信号を生成して、制御部３８０−Ｂに送信する。制御部３８０−Ｂは、インタフェース３８１−Ｂから制御信号を受け取る。
【００７９】
工程８３０においては、入力に基づいて、各色成分のうちの１つ、若しくは２つ以上の強度を変化させるか、又は、どの色成分の強度も変化させない。制御部３８０−Ｂは、１つ又は複数の制御信号を受け取り、それに応答して、光源３３２を制御して赤色光の強度を増加させる。また、制御部３８０−Ｂは、１つ又は複数の制御信号に応答して、適宜、他の光源の制御も行ってよい。
【００８０】
工程８４０においては、複数の空間的に分離した色成分が、第１の素子によって受け取られる。再度図５を参照すると、多色光源２３０−Ｂによって空間的に分離した状態で生成された、色成分５１０−Ｒ、５１０−Ｇ、５１０−Ｂ、及び５１０−Ａは、集束ホモジナイザー４１５によって受け取られる。
【００８１】
工程８５０においては、第１の素子によって、複数の空間的に分離した色成分を、第２の素子の第１の表面上に集束させる。集束ホモジナイザー４１５は、色成分５１０−Ｒ、５１０−Ｇ、５１０−Ｂ、及び５１０−Ａを、集束フィラメント４２５の第１の表面７３６上に集束させる。一実施形態では、集束ホモジナイザー４１５は、様々な色成分５１０を、集束フィラメント４２５の第１の表面７３６に集束させて、各色成分が第１の表面７３６の選択した領域内で重なるようにする。選択した領域の直径を、オーバーラップ径と呼ぶ場合もある。
【００８２】
工程８５５においては、第２の素子によって、複数の空間的に分離した色成分を混合して、複数の空間的に分離した色成分を混合状態で含む均一な光を生成する。各色成分５１０−Ｒ、５１０−Ｇ、５１０−Ｂ、及び５１０−Ａは、第１の表面７３６の選択した領域上で重なっているため、これら複数の色成分は、集束フィラメントの表面７３６において混合状態となり、混合状態で、集束フィラメント４２５内を第１の表面７３６から第２の表面７３８へと伝達される。
【００８３】
工程８６０においては、第２の素子によって、第２の素子の第２の表面を介して、均一な光を射出させる。ここで、第２の表面は、イメージングシステムのレンズに対して、基準面を提供する。色成分５１０−Ｒ、５１０−Ｇ、５１０−Ｂ、及び５１０−Ａは、混合状態で、集束フィラメント４２５内を第２の表面７３８へと伝達され、表面７３８を介して均一な光５２０として射出される。一実施形態では、第２の表面７３８は、スリットランプ２０５内のレンズ（又はミラー）に対する基準面として機能する。図７Ｃは、一実施形態に係る、集束フィラメント７２５、及びスリットランプ２０５の光学要素７７１を示す。この例では、複数の色成分は、上述したように、第１の表面７３６を介して、集束フィラメント４２５によって受け取られる。これら複数の色成分は、混合状態で、集束フィラメント４２５内を第１の表面７３６から第２の表面７３８へと伝達され、第２の表面７３８を介して均一な光７８５として射出される。光学要素７７１は、例えば、スリットランプ２０５内のレンズ又はミラーであってよく、集束フィラメント４２５の第２の表面７３８を基準面として使用して、均一な光７８５を受け取る。
【００８４】
様々な実施形態では、図８に記載された方法の工程を含む、本明細書に記載された方法の工程は、記載された又は示された特定の順序とは異なる順序で実行することが可能である。他の実施形態では、他の工程が提供されてもよいし、又は記載された方法から工程を省いてもよい。
【００８５】
本明細書に記載のシステム、装置及び方法は、デジタル回路を使用して、又は周知のコンピュータプロセッサ、メモリユニット、記憶デバイス、コンピュータソフトウエア及びその他の構成要素を用いる１つ又は２つ以上のコンピュータを使用して実装され得る。典型的には、コンピュータは、命令を実行するためのプロセッサ並びに命令及びデータを格納するための１つ又は２つ以上のメモリを含む。コンピュータはまた、１つ又は２つ以上の磁気ディスク、内部ハードディスク及び取り外し可能ディスク、光磁気ディスク、光ディスクなどのような１つ又は２つ以上の大容量記憶デバイスを含んでいてもよいし、又はこれらのデバイスと結合されてもよい。
【００８６】
本明細書に記載のシステム、装置及び方法は、プログラマブルプロセッサにより実行するための、情報担体において、例えば、非一時的な機械可読記憶デバイスにおいて、有形に具体化されたコンピュータプログラム製品を用いて実装することが可能であり、図８の１つ又は２つ以上の工程を含む本明細書に記載の方法の工程は、このようなプロセッサにより実行可能な１つ又は２つ以上のコンピュータプログラムを用いて実装することが可能である。コンピュータプログラムは、ある動作を実行したり、ある結果をもたらしたりするように、コンピュータ内で直接的又は間接的に使用可能な１組のコンピュータプログラム命令である。コンピュータプログラムは、コンパイル型言語又はインタープリタ型言語を含む任意の形式のプログラミング言語で記述されてよく、また、例えば、スタンドアローン型プログラムとして、又はモジュール、コンポーネント、サブルーチン、若しくはコンピューティング環境の中で使用するのに適した別のユニットなどとして、任意の形式で実装し得る。
【００８７】
本明細書に記載のシステム、装置及び方法を実装するのに使用し得る例示的なコンピュータの高度なブロック図が、図９に示されている。コンピュータ９００は、データ記憶デバイス９０２とメモリ９０３に、動作可能に連結されたプロセッサ９０１を含む。プロセッサ９０１は、このような動作を定義するコンピュータプログラム命令を実行することによってコンピュータ９００全体の動作を制御する。コンピュータプログラム命令は、データ記憶デバイス９０２内に、又は、別のコンピュータ可読媒体内に格納されてよく、また、コンピュータプログラム命令の実行を所望するとき、メモリ９０３内にロードされてよい。したがって、メモリ９０３及び／又はデータ記憶デバイス９０２内に格納されているコンピュータプログラム命令により図８の方法の工程を定義することができると共に、コンピュータプログラム命令を実行するプロセッサ９０１によりこれらの方法の工程を制御することができる。例えば、当業者によりプログラムされたコンピュータ実行可能コードとしてコンピュータプログラム命令を実装して、図８の方法の工程により定義されるアルゴリズムを実施することができる。したがって、これらのコンピュータプログラム命令を実行することにより、プロセッサ９０１は、図８の方法の工程により定義されたアルゴリズムを実行する。コンピュータ９００はまた、ネットワークを介して別のデバイスと通信を行なうための１つ又は２つ以上のネットワークインタフェース９０４を更に備える。コンピュータ９００はまた、コンピュータ９００とのユーザインタラクションを可能にする１つ又は２つ以上の入力／出力デバイス９０５（例えば、ディスプレイ、キーボード、マウス、スピーカ、ボタンなど）を備える。
【００８８】
プロセッサ９０１には、汎用マイクロプロセッサ、及び専用マイクロプロセッサのどちらも含むことができ、プロセッサ９０１は、コンピュータ９００の唯一のプロセッサであってもよいし、複数のプロセッサのうちの１つであってもよい。プロセッサ９０１は例えば１つ又は２つ以上の中央演算処理装置（ＣＰＵ）を備えてもよい。プロセッサ９０１、データ記憶デバイス９０２及び／又はメモリ９０３は、１つ又は２つ以上の特定用途向け集積回路（ＡＳＩＣ）及び／又は１つ又は２つ以上のフィールド・プログラマブル・ゲートアレイ（ＦＰＧＡ）を含むか、これらにより補完されるか、又はこれらに組み込まれてもよい。
【００８９】
データ記憶デバイス９０２及びメモリ９０３はそれぞれ、有形の非一時的なコンピュータ可読記憶媒体を含む。データ記憶デバイス９０２及びメモリ９０３は、ダイナミック・ランダムアクセスメモリ（ＤＲＡＭ）、スタティック・ランダムアクセスメモリ（ＳＲＡＭ）、ダブル・データ・レート・シンクロナス・ダイナミック・ランダムアクセスメモリ（ＤＤＲ  ＲＡＭ）、又はその他のランダムアクセス型ソリッドステート記憶デバイスなどの高速ランダムアクセスメモリを各々含んでもよく、また、１つ又は２つ以上の内部ハードディスク及び取り外し可能ディスクなどの磁気ディスク記憶デバイス、光磁気ディスク記憶デバイス、光ディスク記憶デバイス、フラッシュメモリ装置、消去可能プログラムマブル読み出し専用メモリ（ＥＰＲＯＭ）、電気的消去可能プログラムマブル読み出し専用メモリ（ＥＥＰＲＯＭ）などの半導体メモリデバイス、コンパクトディスク読み出し専用メモリ（ＣＤ−ＲＯＭ）、デジタル多用途ディスク読み出し専用メモリ（ＤＶＤ−ＲＯＭ）ディスク、又はその他の不揮発性ソリッドステート記憶デバイスなどの不揮発性メモリを含んでいてもよい。
【００９０】
入力／出力デバイス９０５はプリンタ、スキャナ、表示画面などのような周辺装置を含んでもよい。例えば、入力／出力デバイス９０５は、ユーザに対して情報を表示するためのブラウン管（ＣＲＴ）又は液晶ディスプレイ（ＬＣＤ）モニタのような表示デバイスと、ユーザがコンピュータ９００への入力を提供することができる、キーボード及び、マウス又はトラックボールのようなポインティング・デバイスと、を含むことが可能である。
【００９１】
多色光源２３０、制御部３８０、インタフェース３８１を含む、本明細書に記載のシステム及び装置のいずれか又は全ては、コンピュータ９００などのコンピュータを用いて実装することが可能である。
【００９２】
当業者であれば、実際のコンピュータ又はコンピュータシステムの実装が別の構成を有し得ること、及び、別の構成要素も包含し得ること、並びに、図９が、例示目的のための、かかるコンピュータの構成要素の一部からなる高度な表現であることを認識するであろう。
【００９３】
上述の発明を実施するための形態は、あらゆる点で例示を目的とするものであり、本発明を限定するものとして理解すべきではなく、本明細書に開示された本発明の範囲は、発明を実施するための形態から判断すべきものではなく、特許請求の範囲を、特許法で許容される最大限の範囲によって解釈して判断すべきである。本明細書に記載かつ示された諸実施形態が単に本発明の原理を例示するものにすぎないこと、及び、種々の変更が本発明の範囲及び趣旨から逸脱することなく当業者により実施され得るものであることを理解すべきである。当業者であれば、本発明の範囲及び趣旨から逸脱することなく、様々な他の特徴の組み合わせを実施することが可能である。
【図１】
2017503584.tif 000004
【図２】
2017503584.tif 000005
【図３Ａ】
2017503584.tif 000006
【図３Ｂ】
2017503584.tif 000007
【図４】
2017503584.tif 000008
【図５】
2017503584.tif 000009
【図６Ａ】
2017503584.tif 000010
【図６Ｂ】
2017503584.tif 000011
【図６Ｃ】
2017503584.tif 000012
【図６Ｄ】
2017503584.tif 000013
【図７Ａ】
2017503584.tif 000014
【図７Ｂ】
2017503584.tif 000015
【図７Ｃ】
2017503584.tif 000016
【図８】
2017503584.tif 000017
【図９】
2017503584.tif 000018
【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
中心点と、前記中心点の周りに同心円状に配置された複数のファセットとを含む第１の素子であって、それぞれの前記ファセットは前記中心点からの距離に基づいて変化する個別の高さを有し、前記第１の素子は、
複数の空間的に分離した色成分であって、前記複数の色成分のそれぞれが個別の波長の光を含む、複数の空間的に分離した色成分を、受け取ることと、
前記複数の空間的に分離した色成分を、第２の素子の第１の表面上に集束させることと、
を行うように構成される、第１の素子と、
第１の表面及び第２の表面を含む第２の素子であって、前記第２の素子は、
前記第１の表面を介して前記複数の色成分を受け取ることと、
前記第２の表面に、前記複数の色成分を混合状態で含む均一な光を伝達することと、
前記第２の表面を介して、前記均一な光を射出することと、
を行うように構成される、第２の素子と、を含む、システム。
【請求項２】
複数の空間的に分離した色成分を生成するように構成された多色光源を更に含む、請求項１に記載のシステム。
【請求項３】
前記多色光源は、
複数の光源であって、それぞれの光源は、個別の波長に関連する色成分を生成するように構成される、複数の光源と、
少なくとも１つの光源によって生成される前記色成分の強度を制御するように構成される制御部と、を更に含む、請求項２に記載のシステム。
【請求項４】
前記複数の光源は、複数のＬＥＤ光源を含む、請求項３に記載のシステム。
【請求項５】
前記複数の光源は、
赤色波長に関連する第１の色成分を生成するように構成された第１の光源と、
緑色波長に関連する第２の色成分を生成するように構成された第２の光源と、
青色波長に関連する第３の色成分を生成するように構成された第３の光源と、
琥珀色波長に関連する第４の色成分を生成するように構成された第４の光源と、を含む、請求項３に記載のシステム。
【請求項６】
前記第２の表面は、イメージングシステムの光学素子に対して、基準面を提供する、請求項１に記載のシステム。
【請求項７】
前記光学素子は、レンズ及びミラーのうちの一方を含む、請求項６に記載のシステム。
【請求項８】
前記イメージングシステムは、スリットランプを含む、請求項６に記載のシステム。
【請求項９】
前記第２の素子は、前記スリットランプの集束アスペクトを維持するように更に構成される、請求項８に記載のシステム。
【請求項１０】
前記複数のファセットの各ファセットは複数の表面を有し、前記複数の表面の各表面は平らである、請求項１に記載のシステム。
【請求項１１】
少なくとも１つのファセットは、垂直な内側面と、傾斜した構成を有する第２の面とを有する、請求項１０に記載のシステム。
【請求項１２】
第１の素子によって、複数の空間的に分離した色成分を受け取る工程であって、前記第１の素子は、中心点と、前記中心点の周りに同心円状に配置された複数のファセットとを含み、それぞれの前記ファセットは、前記中心点からの距離に基づいて変化する個別の高さを有する、工程と、
前記第１の素子によって、前記複数の空間的に分離した色成分を、第２の素子の第１の表面上に集束させる工程と、
前記第２の素子によって、前記複数の空間的に分離した色成分を混合して、前記複数の色成分を混合状態で含む均一な光を生成する工程と、
前記第２の素子によって、前記第２の素子の第２の表面を介して、前記均一な光を射出する工程と、を含む方法であって、
前記第２の表面は、イメージングシステムの光学素子に対して、基準面を提供する、方法。
【請求項１３】
多色光源によって、複数の空間的に分離した色成分を生成する工程を更に含む、請求項１２に記載の方法。
【請求項１４】
赤色に関連する波長を有する、第１の色成分を生成する工程と、
緑色に関連する波長を有する、第２の色成分を生成する工程と、
青色に関連する波長を有する、第３の色成分を生成する工程と、を更に含む、請求項１３に記載の方法。
【請求項１５】
入力を受け取る工程と、
前記入力に基づいて、前記第１、第２、及び第３の色成分のうちの１つの強度を変化させる工程と、を更に含む、請求項１４に記載の方法。
【請求項１６】
前記複数のファセットの各ファセットは複数の表面を有し、前記複数の表面の各表面は平らである、請求項１２に記載の方法。
【請求項１７】
複数の空間的に分離した色成分を生成するように構成された光源と、
透過性材料、中心点及び複数のファセットを含む第１の素子であって、前記複数のファセットは、前記中心点の周りに同心円状に配置され、それぞれのファセットは、前記中心点からの距離に基づいて変化する個別の高さを有し、前記第１の素子は、前記複数の空間的に分離した色成分を、第２の素子の表面上に屈折させるように構成される、第１の素子と、
透過性材料を含む前記第２の素子であって、前記第２の素子は、前記複数の色成分を混合して、均一な光を作り出し、前記均一な光をスリットランプに提供するように構成される、第２の素子と、
スリットランプと、を含む、システムであって、
前記光源は、
前記複数の空間的に分離した色成分のうちの選択された１つの強度の変更を指示する入力を受け取ることと、
前記入力に基づいて、前記複数の空間的に分離した色成分のうちの前記選択された１つの強度を変更することと、を行うように更に構成される、システム。
【請求項１８】
前記光源は、複数のＬＥＤ光源を含む多色光源である、請求項１７に記載のシステム。
【請求項１９】
前記光源は、前記複数のファセットの各ファセットは複数の表面を有し、前記複数の表面の各表面は平らである、請求項１８に記載のシステム。
【請求項２０】
前記第１の素子は、集束ホモジナイザーを含み、前記第２の素子は、集束フィラメントを含む、請求項１７に記載のシステム。
【国際調査報告】
2017503584.tif 000019
2017503584.tif 000020